(57)【要約】      （修正有）【課題】時計ケース中間部内にケーシング・リングを組み付けるためのデバイスを提供する。【解決手段】ケーシング・リング１０を時計ケース中間部内に組み付けるためのデバイスであって、時計ケース中間部は、その内側壁上に支承面を含み、ケーシング・リング１０は、ケーシング・リング１０の横面１２に開口し、ケーシング・リング１０の上側又は下側面に開口する２つのハウジング１１を含む。デバイスは、係止部品２０を含み、この係止部品２０は、第１の位置から第２の位置まで、上側又は下側開口１１１を貫通する回転垂直軸周りに枢動可能であり、第１の位置では、係止部品２０をハウジング１１内に収容し、第２の位置では、係止部品２０が突出しケース中間部の内側壁の支承面に当接してケーシング・リング１０をケース中間部内に保持するようにする。１つの係止部品２０は、ハウジング１１のそれぞれの中にスナップ嵌めされ、回転垂直軸周りに枢動する。【選択図】図１
2015232560.tif 000002
【特許請求の範囲】
【請求項１】
ケーシング・リング（１０）を時計ケース中間部（３０）内に組み付けるためのデバイス（１）であって、前記時計ケース中間部（３０）は、前記時計ケース中間部（３０）の内側壁上に少なくとも１つの支承面（３１）を含み、前記ケーシング・リング（１０）は、一方では、前記ケーシング・リング（１０）の横面（１２）において横開口（１１０）を通って開口し、もう一方では、前記ケーシング・リング（１０）の上側（１３）又は下側面において上側又は下側開口（１１１）を通って開口する少なくとも１つのハウジング（１１）を含み、
前記デバイスは、前記ハウジング（１１）に対して相補形状である少なくとも１つの係止部品（２０）を含み、前記係止部品（２０）は、後退位置と呼ばれる第１の位置から係止位置と呼ばれる第２の位置まで、前記上側又は下側開口（１１１）を貫通する回転垂直軸（Ｖ）周りに枢動可能であり、前記第１の位置では、前記係止部品（２０）を前記ハウジング（１１）内に少なくとも部分的に収容し、前記第２の位置では、前記係止部品（２０）が突出し前記ケース中間部（３０）の前記内側壁の前記支承面（３１）のうち１つに当接して前記ケーシング・リング（１０）を前記ケース中間部（３０）内に保持するようにする、デバイス（１）において、
前記少なくとも１つの係止部品（２０）は、前記少なくとも１つのハウジング（１１）内にスナップ嵌めされ、前記回転垂直軸（Ｖ）周りに枢動することを特徴とするデバイス（１）。
【請求項２】
前記係止部品（２０）は、前記係止部品（２０）と一体であるピン（２１）を含む、請求項１に記載の組付けデバイス（１）。
【請求項３】
前記ハウジング（１１）は、前記係止部品（２０）を横開口（１１０）に通して横方向にスナップ嵌めするように、前記係止部品（２０）の前記ピン（２１）と協働可能なスナップ嵌め開口（１１３）を含むことを特徴とする、請求項１又は２に記載の組付けデバイス。
【請求項４】
前記スナップ嵌め開口（１１３）は、保持部分を形成するボトルネック部を有する入口、及び前記ピン（２１）を受け入れるように構成した受け入れ領域を連続して含み、前記受け入れ領域において、前記ピン（２１）を保持、枢動できる、請求項３に記載の組付けデバイス（１）。
【請求項５】
前記係止部品（２０）の前記ピン（２１）は、ねじ留め工具と協働可能なスロット（２３）を有する、請求項２から４のうちいずれか一項に記載の組付けデバイス（１）。
【請求項６】
前記ピン（２１）の前記スロット（２３）に前記上側又は下側開口（１１１）を通してアクセス可能であるように、前記スナップ嵌め開口（１１３）、前記ピン（２１）及び前記上側又は下側開口（１１１）を前記回転垂直軸（Ｖ）に沿って同軸に配置した、請求項５に記載の組付けデバイス（１）。
【請求項７】
前記係止部品（２０）は、前記垂直軸（Ｖ）に直交する平面（Ｐ）に平行な上側面及び下側面、前記上側面及び下側面に直交する後面（２２）及び前面、並びに前記上側面及び下側面並びに前記前面及び後面（２２）に直交する２つの横面を有し、前記係止部品は、前記前面及び前記横面上に開口する溝（２４）を含み、前記溝（２４）は、前記ケース中間部（３０）の前記支承面（３１）と協働するように構成される、請求項１から６のうちいずれか一項に記載の組付けデバイス（１）。
【請求項８】
前記溝（２４）は、前記前面に沿って前記上側面と前記下側面との間に延在し、Ｕ字形側面を有する、請求項７に記載の組付けデバイス（１）。
【請求項９】
前記ケーシング・リング（１０）は、前記ケース中間部（３０）に対する軸方向及び径方向への位置決めを保証するために、前記ケーシング・リング（１０）の周りに角度を付けて分配したいくつかのハウジング（１１）及び係止部品（２０）を含む、請求項１から８のうちいずれか一項に記載の組付けデバイス（１）。
【請求項１０】
前記ケーシング・リング（１０）及び前記係止部品（２０）は、プラスチック材料から製造される、請求項１から９のうちいずれか一項に記載の組付けデバイス（１）。
【請求項１１】
ムーブメント（１６）、ガスケット（１７）と一体であるガラス（１９）、及び裏カバーを更に含む、請求項１から１０のうちいずれか一項に記載の前記デバイスを装着した時計ケースであって、前記ムーブメント（１６）は、ダイアル（１５）を上に載せ、前記ケーシング・リング（１０）内に取り付けられ、前記ケーシング・リング（１０）は、ケース中間部（３０）内に取り付けられ、前記ケース中間部（３０）は、前記ケース中間部（３０）の内側壁上に、前記係止部品（２０）と協働することを意図する周辺肩部を有する、時計ケース。
【請求項１２】
請求項１から１１のうちいずれか一項に記載の前記組み付けデバイス（１）を装着した計時器。
【発明の詳細な説明】
【技術分野】
【０００１】
本発明は、時計ケースの中間部内にケーシング・リングを組み付けるためのデバイスに関する。
【背景技術】
【０００２】
ケーシング・リングは、通常、クランプ及び／又はねじにより時計ケースに固定される。しかし、そのような組付け方法は、いくつかの欠点を有する。実際、クランプ及びねじ頭の厚さは、不都合であることが判明する場合があり、また、部品に余分な厚みを生じることがある。更に、これに使用するねじは、組付け作業に特定の工具及び一定量の経験を必要とする。
【０００３】
したがって、ねじ又はクランプ等の更なる手段の使用を必要とせずに時計ケース内にケーシング・リングを組み付けることが既に提案されている。
【０００４】
欧州特許第１３１２９８９号は、時計ケースにケーシング・リングを組み付けるそのようなデバイスを開示している。より具体的には、この文献は、時計ケースの内側壁内を機械加工した切頭ハウジング、及びリングの後面及び横面上に開口する少なくとも２つの切頭チャンバを含むケーシング・リングを含む時計ケースを開示している。この切頭チャンバは、係止部品を受けることができ、この係止部品は、係止部品が完全にチャンバ内にある自由位置から、係止部品がチャンバ内に部分的に収容されケース内の対応するハウジング内部に部分的に収容される係止位置まで回転移動できる。
【０００５】
上記した組付けデバイスは、いくつかの欠点を有する。まず、係止部品が取り外し可能であることが挙げられ、このことには、係止部品を所定位置に置いた後ケーシング・リングを慎重に組み付けることを必要とする。というのは、ケーシング・リングは、１つ又は複数の係止部品が外れるのを防止するために平坦なままにしなければならないためである。次に、係止部品の大きさが小さいことが挙げられ、このことは、時計を組み付ける間、係止部品の取扱いが困難であることを意味する。最後に、係止部品の形状のために、時計ケース及びケーシング・リングの両方に複雑な機械加工作業を必要とすることが述べられる。
【先行技術文献】
【特許文献】
【０００６】
【特許文献１】欧州特許第１３１２９８９号
【発明の概要】
【発明が解決しようとする課題】
【０００７】
こうした公知の技法の様々な欠点を克服することが本発明の目的である。
【０００８】
より詳細には、時計の組付け中に作業者が複雑な作業を実施する必要のない組付けデバイスを提供することが本発明の目的である。
【０００９】
少なくとも特定の一実施形態では、実装が簡単で安価であるデバイスを提供することも本発明の目的である。
【課題を解決するための手段】
【００１０】
他の目的と共に以下でより明らかになるこれらの目的は、時計ケース中間部内にケーシング・リングを組み付けるためのデバイスにより本発明によって達成され、この時計ケース中間部は、その内側壁上に少なくとも１つの支承面を含み、前記ケーシング・リングは、一方では、前記ケーシング・リングの横面において横開口を通り、もう一方では、ケーシング・リングの上側又は下側面において上側又は下側開口を通る少なくとも１つのハウジング開口を含み、
前記デバイスは、前記ハウジングに対して相補形状である少なくとも１つの係止部品を含み、この係止部品は、後退位置と呼ばれる第１の位置から係止位置と呼ばれる第２の位置まで前記上側又は下側開口を貫通する回転垂直軸周りに枢動可能であり、この第１の位置では、前記係止部品を前記ハウジング内に少なくとも部分的に収容し、第２の位置では、前記係止部品が突出し前記ケース中間部の内側壁の前記支承面に当接して前記ケーシング・リングを前記ケース中間部内に保持するようにする。
【００１１】
本発明によれば、前記少なくとも１つの係止部品は、前記少なくとも１つのハウジング内にスナップ嵌めされ、前記回転垂直軸周りに枢動する。
【００１２】
単独又は組み合わせて採用される本発明の任意選択の特徴によれば、
−前記係止部品は、係止部品と一体であるピンを含み；
−前記ハウジングは、前記係止部品を横開口に通して横方向にスナップ嵌めするために前記係止部品の前記ピンと協働可能なスナップ嵌め開口を含み；
−前記スナップ嵌め開口は、保持部分を形成するボトルネック部を有する入口、及び前記ピンを受け入れるように構成した受け入れ領域を連続して含み、この受け入れ領域において、前記ピンを保持、枢動でき；
−前記係止部品の前記ピンは、ねじ留め工具と協働可能なスロットを有し；
−前記ピンのスロットに前記上側又は下側開口を通してアクセス可能であるように、前記スナップ嵌め開口、前記ピン及び前記上側又は下側開口を前記回転垂直軸に沿って同軸に配置し；
−前記係止部品は、垂直軸に直交する面に平行な上側面及び下側面、上側面及び下側面に直交する後面及び前面、並びに上側面及び下側面並びに前面及び後面に直交する２つの横面を有し、前記係止部品は、その前面及び横面上に開口する溝を含み、溝は、前記ケース中間部の前記支承面と協働するように構成され；
−前記溝は、その前面に沿って上側面と下側面との間に延在し、Ｕ字形側面を有し；前記ケーシング・リングは、ケース中間部に対する軸方向及び径方向への位置決めを保証するために、前記ケーシング・リングの周りに角度を付けて分配したいくつかのハウジング及び係止部品を含み；
−前記ケーシング・リング及び前記係止部品は、プラスチック材料から製造される。
【００１３】
本発明は、本発明によるデバイスを装着した時計ケースであって、ダイアルを載せるムーブメント、ベゼルに固定されるガラス、ケース中間部及び裏カバーを含み、このムーブメントをケーシング・リング内に取り付け、更にケーシング・リングをケース内に取り付けた、時計ケースにも関し、前記ケース中間部は、その内側壁上に、前記係止部品と協働することを意図する周辺肩部を有する。
【００１４】
本発明は、本発明による組付けデバイスを装着した計時器にも関する。
【００１５】
したがって、上記した様々な機能的及び構造的態様により、本発明の主題は、ケーシング・リングを時計ケース中間部に確実で単純に組み付けることを保証できる。
【００１６】
本発明の他の特性及び利点は、単なる例示的で非限定的な例として示される本発明の特定の実施形態の以下の説明、及び添付の図面を読めばより明らかになるであろう。
【図面の簡単な説明】
【００１７】
【図１】本発明による組付けデバイスの斜視図である。
【図２】係止位置における、本発明による組付けデバイスの図１の線ＩＩ−ＩＩに沿った断面図である。
【図３ａ】後退位置における、本発明による組付けデバイスの斜視図である。
【図３ｂ】係止位置における、本発明による組付けデバイスの斜視図である。
【図４ａ】本発明による組付けデバイスの係止部品の斜視図である。
【図４ｂ】本発明による組付けデバイスのハウジングの図１の線ＩＶ−ＩＶに沿った断面図である。
【図５】本発明による組付けデバイスを装着した時計ケースの分解図である。
【図６】本発明による組付けデバイスのハウジングの軸Ｖに沿った縦断面図である。
【発明を実施するための形態】
【００１８】
次に、図１、図２、図３ａ、図３ｂ、図４ａ、図４ｂ及び図５を一緒に参照しながら、例示的実施形態の組付けデバイス１を以下に説明する。
【００１９】
上述のように、本発明の一般原理は、ケーシング・リング１０を時計ケース中間部３０内に組み付けるためのデバイス１の実装にあり、時計ケース中間部３０は、その内側壁上に少なくとも１つの支承面３１を含み、ケーシング・リング１０は、一方では、前記ケーシング・リング１０の横面１２において横開口１１０を通り、もう一方では、ケーシング・リング１０の上側又は下側面１３において上側又は下側開口１１１を通る少なくとも１つのハウジング１１の開口を含む。
【００２０】
デバイスは、実質的に平行六面体でありハウジング１１に対して相補形状である少なくとも１つの係止部品２０を含み、この係止部品２０は、後退位置と呼ばれる第１の位置から係止位置と呼ばれる第２の位置まで上側又は下側開口１１１を貫通する回転垂直軸Ｖ周りに枢動するように構成され、この第１の位置では、係止部品２０をハウジング１１内に載置し、第２の位置では、係止部品２０が突出しケース中間部３０の内側壁内の凹部３１内に係合してケーシング・リング１０をケース中間部３０内に保持するようにする。
【００２１】
係止部品２０は、垂直軸Ｖに直交する平面Ｐに平行である上側面及び下側面、上側面及び下側面に直交する後面２２及び前面、並びに、上側面及び下側面並びに前面及び後面２２に直交する２つの横面を有し、上側面は、ケーシング・リング１０の上側開口１１１に面しており、係止部品２０は、後面２２を通してハウジング１１に挿入される。図示しない本発明の代替形態によれば、ケーシング・リング１０は、ただ１つの係止部品２０及び暗示的にはただ１つのハウジング１１を有し、固定係止部品として作用する突起は、時計ケース中間部３０と協働してケーシング・リング１０をケース中間部３０に片側で固着するようにする。次に、ケーシング・リングは、係止部品２０を係止位置に移動させることによってケース中間部に永続的に固着される。
【００２２】
本発明によれば、係止部品２０は、横開口１１０に通し、ケーシング・リング１０のハウジング１１内に横方向にスナップ嵌めすることを意図する。
【００２３】
時計ケース中間部３０の内側壁上に形成した１つ又は複数の支承面３１は、凹部３１の形状が、この凹部３１内に受け入れられる係止部品２０の部分の形状と一致するように、例えば矩形又は長方形形状のハウジングの形態を取ることができる。
【００２４】
ケース中間部３０の内側壁上に形成した支承面３１が、時計ケース中間部３０の内側面の全て又は一部にわたって延在する舌部の形態を取ることを想定することも可能である。
【００２５】
図示しない更に別の実施形態によれば、時計のケース中間部３０は、係止部品２０のための支承面として作用することを意図する周辺又は局所肩部を含むことができる。
【００２６】
図４ａから理解できるように、係止部品２０は、実質的に矩形形状のものであり、後面２２は、ケーシング・リング１０のハウジング１１内部での係止部品２０の回転を促進するために丸みのある縁部を有する。
【００２７】
図６に示す本発明の変形形態によれば、係止部品２０は、この係止部品２０の前面上及び横面のそれぞれの上に開口する溝２４を含む。この変形形態によれば、溝２４は、部品２０の幅部にわたって、軸Ｖに直交する平面Ｐ内に延在し、Ｕ字形側面を有する。
【００２８】
係止部品２０の溝２４は、支承面として作用する少なくとも１つのリブ３１０と協働するように構成され、リブは、ケース中間部３０の内側壁上に形成され、ケース中間部３０の内側壁に直交して延在する上側面３１１及び下側面３１２を有する。
【００２９】
係止位置において、溝２４の上側壁２４１及び下側壁２４２はそれぞれ、ケース中間部３０のリブ３１０の上側面３１１及び下側面３１２上に支承する。この構成により、ケーシング・リング１０をケース中間部３０内に正確に係止、位置決めすることが容易になる。
【００３０】
ケース中間部は、例えば、ケース中間部３０の内側壁上に角度を付けて分配した３つのリブ３１０、或いは周辺リブ３１０を有することもできる。
【００３１】
好ましくは、円筒形状のピン２１を後面２２の近傍に配設し、ピンの大きな面のうちの１つから垂直に延在する。このピンは、ピン２１の形状に対して相補形状であるスナップ嵌め開口１１３でハウジング１１内にスナップ嵌めする。ピン２１は、ねじ回し等の工具を挿入して係止部品２０を回転可能にするように、その上側面上にスロット２３も有する。このスロット２３は、ピン２１を支える面とは反対側の大きな面上に配置でき、そのために、ケーシング・リング１０をケースの裏側からケース中間部３０内に取り付ける際にスロット２３にアクセス可能である。
【００３２】
この例では、係止部品２０及びピン２１は、プラスチック材料製であっても、又は更には金属材料製であってもよい単一要素を形成する。本明細書では、当業者が本発明の範囲内で他の材料を想定できることは理解されよう。
【００３３】
図１から明らかなように、ケーシング・リング１０は、例えばフライス削りによってケーシング・リング１０内に機械加工したハウジング１１を含み、ハウジング１１は、リングの横面１２上に矩形形状の横開口１１０、及びリングの上側面１３上に円形形状の上側開口１１１を有する。好ましくは、ケーシング・リング１０は、少なくとも２つのハウジング１１及び対応する２つの係止部品２０を含み、係止部品２０のそれぞれは、ケース中間部３０の内側壁内で事前機械加工したそれぞれの凹部３１と協働する。ケーシング・リング１０の組付け方向に応じて、下側開口を上側開口１１１の代わりに備えることができる。
【００３４】
ハウジング１１をケーシング・リング１０内に機械加工する場合、係止部品２０を垂直にハウジング１１内に保持するようにブリッジ１１４を上側面又は下側面上に形成する。したがって、係止位置への変更の間、係止部品２０はハウジング１１内に垂直に保持され、ピン２１がスナップ嵌め開口１１３から外れ得ない。
【００３５】
図５に見える中空部１０１も、時計を組み立てる間にムーブメント１６にクラウンを挿入するためにケーシング・リング１０内に形成される。
【００３６】
ケーシング・リング１０は、その基部上に少なくとも１つの位置決め突起１１５も含み、この位置決め突起１１５は、ケーシング・リング１０をケース中間部３０内に適切に位置決めするように、ケース中間部３０と協働することを意図する。図面には示さない別の実施形態によれば、位置決め突起１１５は、ケーシング・リング１０の周辺にわたって延在する。
【００３７】
図面に示す例示的実施形態では、ハウジング１１の上側開口１１１は、わずかに中心から外して、ハウジング１１の縁部の１つに向かって位置決めする。
【００３８】
本発明の別の実施形態によれば、ケーシング・リング１０は、いくつかの、例えば３つのハウジング１１及び係止部品２０を含み、ケース中間部３０は、ケーシング・リング１０を確実に保持するように係止部品２０の数と一致するいくつかの支承面３１を有する。
【００３９】
前述の実施形態によれば、ハウジング１１及び係止部品２０をケーシング・リング１０の周りに角度を付けて分配して、ケース中間部３０に対するケーシング・リング１０の適切な軸方向及び径方向への位置決めを保証する。
【００４０】
本発明の好ましい実施形態によれば、ケーシング・リング１０は、製造費用を低減するために、例えば射出成形によりプラスチック材料から製造できる。
【００４１】
図４ｂで示すように、ハウジング１１は、前面に、係止部品２０を受け入れることを意図する第１の空間１１２を有し、第１の空間１１２は、係止部品２０がハウジング１１内で摩擦なく枢動できるように係止部品２０の本体の寸法よりもわずかに大きな寸法を有する。
【００４２】
ハウジング１１は、スナップ嵌め開口１１３と呼ばれ係止部品ピン２１を受け入れることを意図する第２の空間を含む。スナップ嵌め開口１１３は、ピン２１が入口に隣接する受け入れ領域内部に押し込まれるように、ピン２１の直径の寸法よりもわずかに小さい寸法のボトルネック部を形成する入口を有し、この受け入れ領域は、円形形状であってピン２１の直径よりもわずかに大きく、係止部品２０をハウジング１１内に保持するようにする。
【００４３】
有利には、スナップ嵌め開口１１３、及びより正確にはスナップ嵌め開口１１３の受け入れ領域は、円形開口１１１と同軸に配設され、それにより、ピン２１のスロット２３に円形開口１１１を通してアクセス可能であり、円形開口１１１は、スナップ嵌め開口１１３の直径よりもわずかに小さい直径を有する。
【００４４】
スナップ嵌合した後、係止部品２０は、後退位置と呼ばれる第１の位置から係止位置と呼ばれる第２の位置に枢動でき、この第１の位置では、係止部品２０をハウジング１１内に載置し、第２の位置では、係止部品２０が突出しケース中間部３０の内側壁の支承面３１と協働してケーシング・リング１０をケース中間部３０内に維持するようにする。
【００４５】
図３ａ及び図３ｂで観察できるように、係止部品２０の一部分が突出し時計ケース中間部の支承面と協働できるように、ハウジング１１の長さは、係止部品２０の長さよりもわずかに大きく、係止部品２０の長さは、ハウジング１１の深さよりも大きい。
【００４６】
図２に示すように、ケーシング・リング１０は、既にスナップ嵌合させた係止部品２０を備えており、これらの係止部品２０は、ケース中間部３０の凹部３１内に嵌め込むことによってケース３０に対しケーシング・リング１０を位置決め可能にする。
【００４７】
図５は、ケース中間部３０、ケース中間部３０に取り外し可能に組み付けられる裏カバー１４を含む時計ケースを示し、本発明のケーシング・リング１０は、ケース中間部３０に挿入可能である。ケーシング・リング１０は、時計ムーブメント１６を維持するように働き、係止部品２０によりケース中間部３０の内部に保持される。
【００４８】
ムーブメント１６は、図示する例では上方から、ムーブメント１６がケーシング・リング１０の内側面の肩部１１６と接触するまでケーシング・リング１０内に摺動する。ムーブメント１６−ケーシング・リング１０を備える組立体は、組付け方向に応じて、組立体がダイアル１５又は裏カバー１４に当接するまで、ケース中間部３０内に摺動する。有利には、本発明によれば、ケーシング・リング１０上に存在する係止部品２０は、ケーシング・リング１０をケース中間部３０に固着可能にする。
【００４９】
図面から明らかなように、時計はクラウン３２を含み、このクラウン３２は、ケース中間部３０の穴、ケーシング・リング１０の中空部１０１及びムーブメント１６の穴に連続して通してムーブメント１６上に取り付け、ムーブメント１６に固着するようにする。
【００５０】
時計ケースは突縁１８及びガスケット１７も含み、この突縁１８は、ダイアル１５の周辺を部分的に重複するようにダイアル１５とガラス１９との間に取り付け、ケース中間部３０上に支承し、上記ガスケット１７は、ガラス１９をケース中間部３０に固着させ、こうして時計ケースの上側部品を閉鎖する。
【００５１】
時計ケースの下側部は、ムーブメント１６−ケーシング・リング１０組立体がケース中間部３０を押圧するように裏カバー１４を固着することによって閉鎖する。
【００５２】
ケーシング・リング１０の時計ケース３０上への組付けは、以下のように達成する。
【００５３】
最初に、作業者は、スナップ嵌め開口１１３のそれぞれにピン２１を強制的に挿入することによってケーシング・リングのハウジング１１のそれぞれの中に係止部品２０をスナップ嵌めし、その結果、ピン２１上に存在するスロット２３が円形開口１１１を通して見えるようにする。スナップ嵌めを行った後、作業者は、手作業又はねじ回しにより係止部品２０を後退位置に位置決めする。
【００５４】
次に、作業者は、ケーシング・リング１０の下側又は上側面が組付け方向に応じて、ケース中間部３０のダイアル１５又は裏カバー１４に当接するまで、係止部品２０を装着したケーシング・リング１０を時計ケース３０に挿入する。次に、ねじ回しを用いて、作業者は、ピン２１を介して係止部品２０を４分の１回転だけ回転させて係止部品２０を係止位置内に移動させるようにする。したがって、係止部品２０のそれぞれの一部分は時計ケース３０の支承面３１と協働し、このことは、ケーシング・リング１０をケース中間部３０に固着させる効果を有する。時計ムーブメント１６は、選択した組立て順序に応じて、ケーシング・リング１０をケース中間部３０に固着する前又はその後にケーシング・リング１０内に配設できる。
【００５５】
図３ａ及び図３ｂに示す本発明の一実施形態によれば、ケーシング・リング１０は、回転方向を示す矢印を伴って「開ける」及び「閉じる」等のマークを上側面１３上に有することができ、こうしたマークは、例えば作業者に、係止部品２０を枢動させてケーシング・リング１０をケース中間部３０に係止する方向、又は係止部品２０を枢動させてケーシング・リング１０をケース中間部３０から解除する方向を示すことを意図する。
【００５６】
本発明は、上記した組付けデバイス１を装着した計時器にも関し、計時器は、機械式時計であっても、電子時計であってもよい。
【００５７】
本発明のこれらの異なる態様の結果として、ケーシング・リングを時計ケース中間部内に組み付けるためのデバイスが提供され、このケーシング・リングは、作業者にとって取扱い及び設置が容易で、ねじ又はクランプの使用を必要としない。
【００５８】
当然、以下の特許請求の範囲によって定義される本発明の範囲を逸脱することなく、当業者によって他の実施形態を想定できる。
【符号の説明】
【００５９】
１  組付けデバイス
１０  ケーシング・リング
１０１  ケーシング・リング中空部
１１  ハウジング
１１０  横開口
１１１  上側開口
１１２  ハウジングの第１の空間
１１３  スナップ嵌め開口
１１４  保持ブリッジ
１１５  位置決め突起
１１６  ケーシング・リング肩部
１２  横面
１３  上側面
１４  裏カバー
１５  ダイアル
１６  ムーブメント
１７  ガスケット
１８  突縁
１９  ガラス
２０  係止部品
２１  ピン
２２  係止部品の後面
２３  スロット
２４  溝
２４１  溝の上側壁
２４２  溝の下側壁
３０  ケース中間部
３１  支承面
３１０  リブ
３１１  リブの上側面
３１２  リブの下側面
３２  クラウン
Ｖ  回転垂直軸
Ｐ  垂直軸に直交する平面
【図１】
2015232560.tif 000003
【図２】
2015232560.tif 000004
【図３ａ】
2015232560.tif 000005
【図３ｂ】
2015232560.tif 000006
【図４ａ】
2015232560.tif 000007
【図４ｂ】
2015232560.tif 000008
【図５】
2015232560.tif 000009
【図６】
2015232560.tif 000010
【外国語明細書】
2015232560000001.pdf